(57)【要約】【課題】コンバイン等の久しぶりの作業となる場合、作業者は、使用する操作レバーが不確かとなる場合があり、誤操作により誤作動を生じることがある。【解決手段】操作レバーの近傍に、番号等の符号を付した表示部４１，４２，４３を表記する。作業者は、表示部により所定作業での使用する操作レバーを理解する。また、ユーザからの電話での問合せに際して、ユーザが操作レバーの名称を認識していない場合でも、サービスマンは、表示部の符号を用いて意思疎通することができる。【選択図】図４
2019201587.tif 000002
【特許請求の範囲】
【請求項１】
運転席に多数の操作具を有する作業車両において、
前記多数の操作具の内において、所定作業で使用する複数の操作具の近傍に、前記所定作業の準備を意識させると共に前記複数の操作具に対してそれぞれ異なる符号を有する表示部を設けた、
ことを特徴とする作業車両。
【請求項２】
前記作業車両が、コンバインであり、
前記複数の操作具が、複数の操作レバーを含み、
前記所定作業が、穀稈の刈取・脱穀作業であり、
前記運転席に、前記複数の操作レバーを案内するガイド溝を有する操作パネルを備え、
前記複数の操作レバーが前記刈取・脱穀作業にあって操作される側の前記ガイド溝近傍における前記操作パネル上に、前記表示部を設けた、
請求項１記載の作業車両。
【請求項３】
前記刈取・脱穀作業において、前記複数の操作レバーが操作される側の前記操作パネル上の指示標記に、同一色の警戒色を付した、
請求項２記載の作業車両。
【請求項４】
前記表示部は、所定の色の下地と、該下地の色と異なる色の枠どりと、前記下地上と異なる色の前記符号と、を有し、浮上り状に見えてなる、
請求項３記載の作業車両。
【請求項５】
前記表示部は、前記運転席のシートに座った作業者から正面に見えるように前後方向に対して傾斜して配置された、
請求項１ないし４のいずれか１項記載の作業車両。
【請求項６】
前記表示部は、前記枠どりから該枠どりと同一色で吹出しが前記指示標記を差すように延びている、
請求項４記載の作業車両。
【請求項７】
前記表示部の前記符号は、前記複数の操作具が前記刈取・脱穀作業を開始する際の操作手順を示す番号である、
請求項１ないし６のいずれか１項記載の作業車両。
【発明の詳細な説明】
【技術分野】
【０００１】
本発明は、コンバイン等の作業車両に係り、詳しくは、複数の操作具を配置した操作パネルに関する。
【背景技術】
【０００２】
一般に、コンバインは、走行変速レバー、刈取・脱穀クラッチレバー、スロットルレバー等の多くの操作レバーを備えており、作業に際してこれら多くの操作レバーを適宜操作することになり、操作が面倒であった。
【０００３】
従来、１個の操作レバーの操作により、他の操作レバーを連動して操作の容易化を図ったものが知られている。例えば、特許文献１に示すように、刈取・脱穀レバーを操作して、脱穀クラッチ及び刈取クラッチを入れようとする際、スロットルアームを連動してエンジン回転数を上昇し、エンジン回転数を刈取・脱穀作業に適応する回転数になるように連動する。
【先行技術文献】
【特許文献】
【０００４】
【特許文献１】特開２０１４−０６８６０７号公報
【発明の概要】
【発明が解決しようとする課題】
【０００５】
コンバインは、通常、年１回の収穫時に使用するものであって、略１年ぶりの使用開始時に操作に戸惑うことがある。例えば、上述した操作レバーを他の操作に連動して操作の簡易化を図っても、特に高齢者にあっては、上記コンバインの再使用時に、操作忘れにより誤操作、例えばナローガイドを収納したまま刈取り作業を開始して、未刈り穀稈が脱穀フィードチェーンにより搬送されている刈取り穀稈と干渉して搬送穀稈の搬送乱れ等の誤作動を生じることがある。
【０００６】
また、ユーザからサービスマンへの電話での問合せがあった場合、ユーザが操作レバーの名称を意識しておらず、サービスマンが操作レバーの名称を用いて説明しても、ユーザに理解されないことがある。
【０００７】
本発明は、所定作業で使用する複数の操作具に対応して表示部を設けて、上述した課題を解決したコンバインを提供することを目的とするものである。
【課題を解決するための手段】
【０００８】
本発明は、運転席（７）に多数の操作具（１７，２０，２１，２２，２５）を有する作業車両において、
前記多数の操作具の内において、所定作業で使用する複数の操作具（２１，２３，２５）の近傍に、前記所定作業の準備を意識させると共に前記複数の操作具に対してそれぞれ異なる符号を有する表示部（４１，４２，４３）を設けた、
ことを特徴とする作業車両にある。
【０００９】
好ましくは、前記作業車両が、コンバイン（１）であり、
前記複数の操作具が、複数の操作レバー（２１，２３，２５）を含み、
前記所定作業が、穀稈の刈取・脱穀作業であり、
前記運転席（７）に、前記複数の操作レバーを案内するガイド溝（３１，３３，３５）を有する操作パネル（１５）を備え、
前記複数の操作レバー（２１，２２，２３）が前記刈取・脱穀作業にあって操作される側の前記ガイド溝近傍における前記操作パネル（１５）上に、前記表示部（４１，４２，４３）を設けてなる。
【００１０】
前記刈取・脱穀作業において、前記複数の操作レバー（２１，２３，２５）が操作される側の前記操作パネル（１５）上の指示標記（３６，３７，３９）に、同一色の警戒色を付してなる。
【００１１】
前記表示部（４１，４２，４３）は、所定の色の下地（ｂ）と、該下地の色と異なる色の枠どり（ａ）と、前記下地上と異なる色の前記符号（ｃ）と、を有し、浮上り状に見えてなる。
【００１２】
前記表示部（４１，４２，４３）は、前記運転席（７）のシート（１２）に座った作業者から正面に見えるように前後方向に対して傾斜して配置されてなる。
【００１３】
前記表示部（４１，４２，４３）は、前記枠どり（ａ）から該枠どりと同一色で吹出し（ｄ）が前記指示標記（３６，３７，３９）を差すように延びている。
【００１４】
前記表示部（４１，４２，４３）の前記符号（ｃ）は、前記複数の操作具（２１，２３，２５）が前記刈取・脱穀作業を開始する際の操作手順を示す番号である。
【００１５】
なお、上記カッコ内の符号は、図面と対照するためのものであるが、これにより特許請求の範囲の記載に何等影響を及ぼすものではない。
【発明の効果】
【００１６】
請求項１に係る本発明によると、所定作業で使用する複数の操作具に、該所定作業の準備を意味させる表示部があるので、作業者は、該所定作業において使用する操作具を意識でき、誤操作の発生を低減することができる。また、各表示部は、複数の操作具に対してそれぞれ異なる符号が付いているので、電話でのユーザとサービスマンとの応対に際して、ユーザが操作レバーの名称を意識していなくとも、前記表示部の符号を用いて共通して理解することができる。
【００１７】
請求項２に係る本発明によると、コンバインの場合、作業が略１年ぶりの穀類の収穫作業でかつ操作が複雑で作業者が戸惑うことが多いが、上記符号付きの表示部により使用する操作レバーを容易に理解して、かつ確実に操作することができると共に、各操作レバーの操作位置を上記表示部の位置で容易かつ確実に確認でき、誤操作を防止してコンバイン作業を正確に実行することができる。
【００１８】
請求項３に係る本発明によると、複数の操作レバーの操作側の指示標記には、同一色（例えば黄色）の警戒色が付されているので、作業者は、各操作レバーの操作位置を理解して、誤ることなく操作することができる。
【００１９】
請求項４に係る本発明によると、前記表示部は、色の異なる下地、枠どり、符号により浮上り（ポップアップ）状に見え、各表示部、特に符号は、目立って、各操作レバーは、操作漏れすることなく確実に操作される。
【００２０】
請求項５に係る本発明によると、前記表示部は、シートに座った作業者から正面に見えるように前後方向に対して傾斜しているので、作業者は、容易かつ確実に表示部を認識して正確な操作を行うことができる。
【００２１】
請求項６に係る本発明によると、表示部は、枠どりからの吹出しにより操作レバーの指示標記が差し示されるので、各操作レバーを正確に操作することができる。
【００２２】
請求項７に係る本発明によると、表示部の符号が番号であり、該番号順に各操作具を操作すれば、誤操作することなく刈取・脱穀作業を実行することができる。
【図面の簡単な説明】
【００２３】
【図１】本発明を適用したコンバインを示す側面図。
【図２】上記コンバインの平面図。
【図３】上記コンバインの運転席を示す平面図。
【図４】上記運転席の操作パネルを示す平面図。
【発明を実施するための形態】
【００２４】
以下、図面に沿って本発明の実施の形態について説明する。作業車両の一例としてコンバイン(２条の小型コンバイン)１は、図１及び図２に示すように、クローラ２で支持される走行機体３を有しており、走行機体３の前方には前処理部（刈取部）５が昇降自在に支持されている。走行機体３には左側に脱穀装置６が配置され、右側に運転席７及びグレンタンク９が配置されている。グレンタンク９の上部から穀粒排出オーガ１０が回動及び折畳み自在に延びており、また上記脱穀装置６側にはナローガイド１１が走行機体側に収納した収納位置及び走行機体から張出した作業位置に移動自在に配置されている。
【００２５】
運転席７には、図３に示すように、作業者が座るシート１２、その前のステップ１３及び前方のフロント操作パネル１４、側方のサイド操作パネル１５が配置されている。フロント操作パネル１４には、左右操作により走行方向を左右に操作し、前後操作により前処理部５を昇降操作するマルチステアリングレバー１７等が配置されている。
【００２６】
サイド操作パネル１５は、前後に分かれて前サイド操作パネル１５ａと後サイド操作パネル１５ｂを有し、前サイド操作パネル１５ａには走行主変速レバー２０がシート（内）側に、走行副変速レバー２１が外側前部に、スロットルレバー２２が外側後部にそれぞれ前後方向に操作自在に配置されている。後サイド操作パネル１５ｂには、ナローガイド操作レバー２３が内側に、脱こく・刈取クラッチレバー２５が外側にそれぞれ前後方向に操作自在に配置されている。なお、該脱こく・刈取クラッチレバー２５は、脱穀クラッチ及び刈取クラッチの入、切操作の外、入位置への操作に連動して、エンジン出力（回転数）を操作するスロットル開度を作業状態に適するように所定開度に開くように操作する。
【００２７】
前記前サイド操作パネル１５ａには、図４に示すように、前記主変速レバー２０をガイドするガイド溝３０、前記副変速レバー２１をガイドするガイド溝３１及び前記スロットルレバー２２をガイドするガイド溝３２がそれぞれ形成されている。前記後サイド操作パネル１５ｂには前記ナローガイド操作レバー２３をガイドするガイド溝３３、前記脱こく・刈取クラッチレバー２５をガイドするガイド溝３５がそれぞれ形成されている。主変速レバーガイド溝３０は、中間（中立位置）で屈曲して前後方向に延びており、他のガイド溝３１，３２，３３，３５は、前後方向に所定長さ直線状に延びており、各ガイド溝３０，３２，３３，３５は、可撓性のゴム膜により塵埃、雨水が入らないように保護されている。
【００２８】
前記前サイド操作パネル１５ａには、前記主変速レバーガイド溝３０の上方近傍に「主変速」と表記され、該ガイド溝３０の前端に臨んで「前進」、後端に臨んで「後進」、屈曲中間に臨んで「中立」、前端より僅かに後方に「標準刈取」と各変速状態が表記されており、また前記副変速レバーガイド溝３１の内側方に「副変速」と表記され、該ガイド溝３１の前端に臨んで「走行」、後端に臨んで「作業」、ガイド溝長手方向の中央部側方に臨んで「中立」と変速状態が表記され、またスロットルレバーガイド溝３２の前端に臨んで低速となる低スロットル開度を意味する「カメ」の図柄、後端に臨んで高速となる高スロットル開度を意味する「うさぎ」の図柄、側方に臨んでスロットル開度を意味する「傾斜」図形がそれぞれ表記されている。
【００２９】
前記後サイド操作パネル１５ｂには、前記ナローガイド操作レバーガイド溝３２の外側方に「ナローガイド」と表記され、該ガイド溝３３の前端に臨んで「作業」、後端に臨んで「収納」とそれぞれナローガイド１１の位置が表記され、また脱こく・刈取クラッチレバーガイド溝３５の外側方に「脱こく・刈取クラッチ」と表記され、該ガイド溝３５の前端に臨んで「入」、後端に臨んで「切」とクラッチ位置が表記されている。
【００３０】
コンバイン１を刈取・脱穀作業する際に、各操作レバーが位置する側、具体的には、副変速レバー２１の「作業」３６、ナローガイド操作レバー２３の「作業」３７及び脱こく・刈取クラッチレバー２５の「入」３９の各指示標記部分が、他の操作位置と区別するように目立つ警戒色、例えば下地が黄色に塗り分けられている。
【００３１】
そして、上記塗り分けられた操作レバーの作業位置等の指示標記３６，３７，３９の近傍に、操作手順を示す番号「１」，「２」，「３」等の符号（番号）を付した表示部４１，４２，４３が表記されている。各表示部４１，４２，４３は、白色で枠どり（ａ）した赤色の下地ｂに白色の符号（番号）ｃを記入して浮出すように見える表記（ポップアップ表記）となっており、かつ各操作レバーの表記を指す吹出しｄが上記白色の枠どりａから延びている。具体的には、番号「１」の表示部４１は、副変速レバー２１の「作業」を指す吹出しｄがあり、符号ｃを含めて表示部４１全体が、シート１２に座った作業者から正面に見えるようにガイド溝３１の長手方向（前後方向）に対して斜めになっている。番号「２」の表示部４２は、ナローガイド操作レバー２３の「作業」を指す吹出しｄがあり、符号ｃを含めて表示部４２全体が、シート１２に座った作業者から正面に見えるようにガイド溝３３の長手方向（前後方向）に対して斜めになっている。番号「３」の表示部４３は、脱こく・刈取クラッチレバー２５の「入」を指す吹出しｄがあり、符号ｃを含めて表示部４３全体が、シート１２に座った作業者から正面に見えるようにガイド溝３５の長手方向（前後方向）に対して斜めになっている。
【００３２】
上記各表示部４１，４２，４３は、シート１２を中心とした略同一半径上に配置されており、かつその各符号（番号）「１」，「２」，「３」は、上記シート１２に座った作業者に向くように配置されている。なお、上記各表示部４１，４２，４３の符号（番号）の向きは、上記作業者から正面に見えることに限らず、各操作レバーの指示標記と角度を変えて配置して、違和感を持たせて目立つようであればよい。
【００３３】
本コンバイン１は、以上のような構成を有するので、圃場での作業を開始する際、作業者は、久しぶりの作業でどの操作レバーを用いるかをよく覚えていない場合でも、本刈取り・脱穀作用で使用する操作レバー２１，２３，２５は、その近傍に目立つように表示部４１，４２，４３が表示されており、かつ各操作レバーの操作する位置も警戒色からなる指示標記３６，３７，３９並びに各表示部４１，４２，４３からの吹出しｄによる差し示しにより作業者は容易に理解し得る。具体的には、操作パネル１５に付された表示部４１，４２，４３の符号（番号）順に各操作レバーを操作する。まず、「１」が付されている表示部４１に従って、副変速レバー２１を該表示部４１が差している作業位置に操作する。これにより、コンバイン１は、圃場での走行に適した副変速装置の低速状態となる。作業者は、主変速レバー２０及びマルチステアリングレバー１７を操作して、コンバイン１を刈取開始位置に操作する。この際、主変速レバー２０は、前進中速の標準刈取位置になることが望ましい。
【００３４】
そして、「２」が付されている表示部４２に基づき、ナローガイド操作レバー２３を、該表示部４２に差している「作業」位置に操作する。これにより、ナローガイド１１が、図２鎖線で示すように走行機体３の外方に張出した作業位置になる。
【００３５】
ついで、「３」が付されている表示部４３に基づき、脱こく・刈取クラッチレバー２５を、該表示部４３が差している「入」位置に操作する。これにより、刈取クラッチが接続してコンバイン１を走行しつつ刈取り作業を開始すると共に、脱こくクラッチが接続して脱穀装置６を作動する。また、上記脱こく・刈取クラッチレバー２５の入操作に連動してスロットル開度が調節され、スロットル開度を作業に適した所定開度に開き（高出力、高回転）状態に操作する。これにより、コンバイン１は、刈取作業を開始すると共に刈取った穀稈を脱穀する。
【００３６】
このように、作業者が久しぶりの作業により、使用する操作レバー及び操作の手順が不確かになっていても、使用する各操作レバーを表示部４１，４２，４３により容易に理解し得、更に表示部の符号（番号）に従い、かつ表示部が差している位置に操作することにより、コンバイン１は、正確に作業を開始する。
【００３７】
上記表示部４１，４２，４３は、下地ｂと番号ｃの色、枠どりａにより浮出し（ポップアップ）状となり、目立つ形状からなり、作業者は、容易かつ確実に気付く。また、操作レバーの操作位置も、吹出しｄにより気付き、操作位置は、黄色の下地等の警戒色となることと相俟って、容易かつ確実に操作することになり、誤操作の発生を防止する。また、操作者が、操作レバーの名称を理解していない場合でも、前記表示部の符号（番号）により作業者（ユーザ）とサービスマンとの間で意思疎通することができる。
【００３８】
上述した実施の形態は、コンバインに適用したが、これに限らず、根菜等の他の収穫作業機に適用してもよく、更に田植機、トラクタ等の他の作業車両にも適用可能である。従って、所定作業は、刈取・脱穀作業に限らない。また、操作具は、操作レバーに限らず、切換えスイッチ、押ボタンスイッチ等の他の操作具でもよい。また、表示部に付す符号として番号を用いたが、発音してサービスマン等の間で共通に認識できる符号であればよく、番号に限らず、例えばＡ，Ｂ，Ｃ，イ，ロ，ハ、図形等でもよい。
【符号の説明】
【００３９】
１      作業車両（コンバイン）
６      脱穀装置
７      運転席
１１      ナローガイド
１２      シート
１５      （サイド）操作パネル
２１      走行副変速レバー
２３      ナローガイド操作レバー
２５      脱こく・刈取クラッチレバー
３１，３３，３５      ガイド溝
３６，３７，３９      指示標記
４１，４２，４３      表示部
ａ      枠どり
ｂ      下地
ｃ      符号（番号）
ｄ      吹出し
【図１】
2019201587.tif 000003
【図２】
2019201587.tif 000004
【図３】
2019201587.tif 000005
【図４】
2019201587.tif 000006